(57)【要約】  携帯型電波時計は、アンテナ電極と、回路基板上に配置された受信回路と、一端が前記アンテナ電極に突き当たり、平行に配置された一対の接続ピンと、前記接続ピンの他端と接続され、胴から離れる方向に延びる中間配線と、前記中間配線と前記受信回路とを接続するＲＦ接続配線と、を含む。
2017169862.tif 000002
【特許請求の範囲】
【請求項１】
アンテナ電極と、
回路基板上に配置された受信回路と、
一端が前記アンテナ電極に突き当たり、平行に配置された一対の接続ピンと、
前記接続ピンの他端と接続され、胴から離れる方向に延びる中間配線と、
前記中間配線と前記受信回路とを接続するＲＦ接続配線と、
を含む携帯型電波時計。
【請求項２】
請求項１に記載の携帯型電波時計において、
前記中間配線はバラン回路を含み、
前記ＲＦ接続配線は同軸線または同軸ピンを含む、
携帯型電波時計。
【請求項３】
請求項２に記載の携帯型電波時計において、
前記中間配線は前記回路基板と異なる中間基板に配置され、
前記バラン回路は前記中間基板のうちアンテナ電極と反対側の面に配置される、
携帯型電波時計。
【請求項４】
請求項２または３に記載の携帯型電波時計において、
前記バラン回路と前記回路基板との間には金属部材が配置されない、
携帯型電波時計。
【請求項５】
請求項４に記載の携帯型電波時計において、
前記バラン回路と前記回路基板との間には非導電性のスペーサが配置される、
携帯型電波時計。
【請求項６】
請求項１から５のいずれかに記載の携帯型電波時計において、
前記胴のうち前記中間配線に対向する部分に切欠きを有する、
携帯型電波時計。
【請求項７】
請求項１から６のいずれかに記載の携帯型電波時計において、
裏面に前記アンテナ電極が配置される風防ガラスと、
前記風防ガラスがはめ込まれ、胴に接続されるベゼルと、をさらに含み、
前記ベゼルは、内周面において前記接続ピンが通過する位置に切欠きが設けられている、
携帯型電波時計。
【請求項８】
請求項７に記載の携帯型電波時計において、
前記風防ガラスと前記ベゼルとの間に配置され、前記ベゼルの切欠きと対応する位置に切欠きを有する環状のパッキンをさらに含む、
携帯型電波時計。
【請求項９】
請求項１から８のいずれかに記載の携帯型電波時計において、
前記風防ガラスと前記回路基板の間に設けられ、前記接続ピンを固定する固定部を有する見返しリングをさらに含む、
携帯型電波時計。
【請求項１０】
請求項９に記載の携帯型電波時計において、
前記一対の接続ピンを平行に保持する保持部材をさらに含み、
前記見返しリングには、前記保持部材を固定する固定部が設けられる、
携帯型電波時計。
【発明の詳細な説明】
【技術分野】
【０００１】
本発明は、衛星等から信号を受信する携帯型電波時計に関する。
【背景技術】
【０００２】
ＧＰＳ（Global Positioning System）等を構成する衛星からの送信信号に含まれる時刻情報を受信して時刻を修正する携帯型の電波時計が実用に供されている。電波の受信のためのアンテナの配置、またそのアンテナへの給電方法については、時計の機能を損なわずかつ必要な受信感度が得られるように決定されている。【０００３】
特許文献１の図３には、環状のアンテナ体４０に取り付けられた給電部４０２をＧＰＳ受信部２６を含む基板２５に直接的に接続する給電ピン４４が開示されている。給電ピンは地板３８を貫通している。【０００４】
特許文献２の図１５には、受信部を備える回路基板１２０をアンテナ１１０に直接的に接続する同軸ピンが開示されている。同軸ピンは給電ピン１１５と、給電ピン１１５を囲むグランドピン１１７とを有し、同軸ケーブルと同様の特性を有する。アンテナ１１０は不平衡給電で動作するように作成されている。
【先行技術文献】
【特許文献】
【０００５】
【特許文献１】特開２０１４−１６３６６６号公報
【特許文献２】特開２０１５−２０７８５５号公報
【発明の概要】
【発明が解決しようとする課題】
【０００６】
ピンによりアンテナを受信回路を有する基板に直接的に接続し、さらにアンテナを風防ガラスの外周に沿って設ける場合には、ピンが時計の胴のすぐ近くに配置されるため受信にかかる損失が大きくなってしまう。一方、損失の低減のために、同軸ピンでアンテナを基板に接続する場合には、同軸ピンのために不平衡給電となるため、受信感度を高めることが難しかった。例えば、アンテナを不平衡給電に対応させると、円偏波を受ける際の特性の維持に課題がある。また、同軸ピンはその構造上、その外径を細くするには限界があるため、デザイン上の制限が生じやすい。【０００７】
本発明は上述の事情を考慮してなされたものであって、その目的は、受信感度が高い携帯型電波時計を提供することである。
【課題を解決するための手段】
【０００８】
（１）アンテナ電極と、回路基板上に配置された受信回路と、一端が前記アンテナ電極に突き当たり、平行に配置された一対の接続ピンと、前記接続ピンの他端と接続され、胴から離れる方向に延びる中間配線と、前記中間配線と前記受信回路とを接続するＲＦ接続配線と、を含む携帯型電波時計。【０００９】
（２）（１）において、前記中間配線はバラン回路を含み、前記ＲＦ接続配線は同軸線または同軸ピンを含む携帯型電波時計。【００１０】
（３）（２）において、前記中間配線は前記回路基板と異なる中間基板に配置され、前記バラン回路は前記中間基板のうちアンテナ電極と反対側の面に配置される携帯型電波時計。【００１１】
（４）（２）または（３）において、前記バラン回路と前記回路基板との間には金属部材が配置されない携帯型電波時計。【００１２】
（５）（４）において、前記バラン回路と前記回路基板との間には非導電性のスペーサが配置される、携帯型電波時計。【００１３】
（６）（１）から（５）のいずれかにおいて、前記胴のうち前記中間配線に対向する部分に切欠きを有する携帯型電波時計。【００１４】
（７）（１）から（６）のいずれかにおいて、裏面に前記アンテナ電極が配置される風防ガラスと、前記風防ガラスがはめ込まれ、胴に接続されるベゼルと、をさらに含み、前記ベゼルは、内周面において前記接続ピンが通過する位置に切欠きが設けられる、携帯型電波時計。【００１５】
（８）（７）において、前記風防ガラスと前記ベゼルとの間に配置され、前記ベゼルの切欠きと対応する位置に切欠きを有する環状のパッキンをさらに含む、携帯型電波時計。【００１６】
（９）（１）から（８）のいずれかにおいて、前記風防ガラスと前記回路基板の間に設けられ、前記接続ピンを固定する固定部を有する見返しリングをさらに含む、携帯型電波時計。【００１７】
（１０）（９）において、前記一対の接続ピンを平行に保持する保持部材をさらに含み、前記見返しリングには、前記保持部材を固定する固定部が設けられる、携帯型電波時計。
【発明の効果】
【００１８】
本発明によれば、受信感度が高い携帯型電波時計を提供することができる。
【図面の簡単な説明】
【００１９】
【図１】本発明の実施形態にかかる衛星電波腕時計の一例を示す平面図である。
【図２】図１に示される衛星電波腕時計のII−II切断線における断面図である。
【図３】図１に示される衛星電波腕時計に含まれる回路基板およびバラン基板を示す平面図である。
【図４】衛星電波腕時計の回路構成の概略を示すブロック図である。
【図５】図２に示される断面の部分拡大図である。
【図６】図１に示される衛星電波腕時計に含まれるベゼル及び見返しリングの部分平面図である。
【図７】図１に示される衛星電波腕時計のVII−VII切断線における断面図である。
【図８】パッキンの一例を示す図である。
【図９】導電ピンの一例を示す部分拡大図である。
【図１０】導電ピンの他の一例を示す部分拡大図である。
【図１１】衛星電波腕時計の他の一例を概略的に示す部分断面図である。
【図１２】衛星電波腕時計の他の一例を示す部分断面図である。
【図１３】衛星電波腕時計の他の一例を示す部分断面図である。
【発明を実施するための形態】
【００２０】
以下、本発明の実施の形態について、図面を参照しながら詳細に説明する。以下では本発明の実施形態にかかる衛星電波腕時計１について説明する。本実施形態に係る衛星電波腕時計１は、時刻情報を含んだ衛星電波を受信し、当該受信された衛星電波に含まれる時刻情報を用いて自身が計時している時刻の修正や測位を行う。
【００２１】
図１は、本発明の実施形態にかかる衛星電波腕時計１の外観の一例を示す平面図であり、図２は、図１に示される衛星電波腕時計１のII−II切断線における断面図である。これらの図に示されるように、衛星電波腕時計１は、風防ガラス３１と、風防ガラス３１を保持するベゼル３２と、円筒状の胴３８と、胴３８の下に設けられる裏蓋３９とを含む。これらは衛星電波腕時計１の外形を構成している。胴３８およびベゼル３２は、風防ガラス３１および裏蓋３９に挟まれている。以下では、衛星電波腕時計１の中心から風防ガラス３１へ向かう向きを上、裏蓋３９へ向かう向きを下と表記する。
【００２２】
胴３８は金属からなり、上下にそれぞれ穴を有する。ベゼル３２は胴３８の上の穴の形状に応じたリング状のセラミックスであり、ベゼル３２はその上の穴にはめ込まれることで胴３８に接続されている。また裏蓋３９は金属からなり胴３８の下の穴の形状に応じた平面を有し、裏蓋３９はその下の穴にはめ込まれている。風防ガラス３１は、ベゼル３２の上側の開口の形状に応じた平面形状を有し、ベゼル３２のその開口にはめ込まれている。風防ガラス３１とベゼル３２とはパッキン３３を介して接しており、パッキン３３により風防ガラス３１が固定されている。またベゼル３２と胴３８とはパッキン３７を介して接しており、パッキン３７によりベゼル３２が固定されている。
【００２３】
また、衛星電波腕時計１は、アンテナ１０ａ，１０ｂ、２本の導電ピン４１、リング状の見返しリング３４、文字板５１、時針５２ａ、分針５２ｂ及び秒針５２ｃ、ソーラーセル５３、地板５４、バラン基板４３、同軸ピン４５、回路基板４７、モーター４９を含む。これらは、風防ガラス３１、ベゼル３２、胴３８、裏蓋３９に囲まれた空間に配置されている。
【００２４】
アンテナ１０ａ，１０ｂは、風防ガラス３１の下側（裏側）に、風防ガラス３１の周縁に沿って延びるように配置されている。図１の例では、アンテナ１０ａ，１０ｂのそれぞれは円弧状であり、風防ガラス３１の裏側に貼り付けられている。アンテナ１０ａ，１０ｂは衛星から送信される衛星信号を受信する。特に本実施形態では、アンテナ１０ａ，１０ｂはいわゆるダイポールアンテナであり、ＧＰＳ（Ｇｌｏｂａｌ  Ｐｏｓｉｔｉｏｎｉｎｇ  Ｓｙｓｔｅｍ）衛星から送信される周波数約１．６ＧＨｚの電波を受信する。ＧＰＳは、衛星測位システムの一種であって、地球の周囲を周回する複数のＧＰＳ衛星によって実現されている。
【００２５】
２本の導電ピン４１はアンテナ１０ａ，１０ｂと１対１で対応しており、アンテナ１０ａ，１０ｂのそれぞれは、対応する導電ピン４１によりバラン基板４３と電気的に接続されている。２本の導電ピン４１の上端はアンテナ１０ａ，１０ｂに突き当たっている。また２本の導電ピン４１の下端はそれぞれバラン基板４３上に設けられた２つの接続端子に接触している。導電ピン４１は見返しリング３４により平面視における位置を固定されており、また２本の導電ピン４１は互いに平行に配置されている。図２の例では、導電ピン４１は見返しリング３４を上下方向に貫通する穴の中に固定されている。アンテナ１０ａ，１０ｂからみて、導電ピン４１は、風防ガラス３１から遠ざかる方向に延びている。
【００２６】
図３は、衛星電波腕時計１の回路構成の概略を示すブロック図である。バラン回路２１は、ダイポールアンテナのような平衡型アンテナを不平衡な特性を有する同軸ピン４５や受信回路２２に接続するために、アンテナ１０ａ，１０ｂが受信した信号を変換する。受信回路２２は同軸ピン４５を介してバラン回路２１に接続されている。受信回路２２はアンテナ１０ａ，１０ｂが受信した信号を復号し、復号の結果得られる衛星信号の内容を示すビット列（受信データ）を出力する。より具体的には、受信回路２２は高周波回路（ＲＦ回路）及びデコード回路を含んでいる。高周波回路は、高周波数で動作し、アンテナ１０ａ，１０ｂが受信したアナログ信号に対して増幅、検波を行って、ベースバンド信号に変換する。デコード回路は、高周波回路が出力するベースバンド信号を復号してＧＰＳ衛星から受信したデータの内容を示すビット列を生成し、制御回路２６に対して出力する。
【００２７】
制御回路２６は、衛星電波腕時計１に含まれる各種回路や機構を制御する回路であり、例えば、マイクロコントローラと、モータ駆動回路と、ＲＴＣ（Ｒｅａｌ  Ｔｉｍｅ  Ｃｌｏｃｋ）とを含む。制御回路２６は、受信データやＲＴＣが出力するクロックに基づいて時刻を取得し、取得された時刻にあわせて駆動機構２８に含まれるモーター４９を駆動する。駆動機構２８は、ステップモータであるモーター４９と、輪列と、を含んで構成される。モーター４９は回路基板４７の文字板５１側の面に設けられている。モーター４９の回転を輪列が伝達することによって、例えば時針５２ａ、分針５２ｂ、及び秒針５２ｃのうちいずれかを回転させる。これにより現在時刻が表示される。
【００２８】
次に、バラン回路２１、受信回路２２等の配置について説明する。図４は、図１に示される衛星電波腕時計１に含まれる回路基板４７およびバラン基板４３を示す平面図である。図４に示されるII−II切断線は、図２に示される断面に対応する。また、図５は、図２に示される断面の部分拡大図である。バラン基板４３は回路基板４７の上に配置されている。バラン基板４３の下側の面には、アンテナ１０ａ，１０ｂと接続されるバラン回路２１が配置されており、回路基板４７上には受信回路２２が配置されている。図４の例では、平面視で、受信回路２２はバラン基板４３の隣に配置されている。なお、バラン基板４３は、平面視でモーター４９や電池と重なっていない。
【００２９】
バラン基板４３と回路基板４７の間には樹脂等により製作された非導電性のスペーサ４６が配置されており、スペーサ４６によりバラン基板４３と回路基板４７との間隔が保たれている。バラン基板４３と回路基板４７とは平行に配置されている。バラン回路２１と回路基板４７との間にはスペーサ４６が存在するが、例えばＧＮＤ配線のような金属部材は配置されていない。スペーサ４６は地板５４に固定されている。また、バラン基板４３の胴３８側の端部に隣接するようにムーブメントの開口７３が存在し、バラン基板４３と胴３８との間にはスペーサ４６は存在しない。なお、文字板５１の直下にはソーラーセル５３が配置され、ソーラーセル５３と、バラン基板４３または回路基板４７との間には地板５４等が配置されている。
【００３０】
アンテナ１０ａ，１０ｂとバラン回路２１とは、導電ピン４１およびバラン基板４３上の中間配線により接続されている。中間配線は、バラン基板４３上を、導電ピン４１との接続端子から延びる配線である。中間配線は、接続端子から見て、胴３８から離れるように延びている。また、バラン回路２１と受信回路２２とは、ＲＦ接続配線により接続されている。ＲＦ接続配線は、同軸ピン４５と、同軸ピン４５とバラン回路２１とを接続するバラン基板４３上の配線と、同軸ピン４５と受信回路２２とを接続する回路基板４７上の配線とを含む。同軸ピン４５は、バラン基板４３上の配線と回路基板４７上の配線とを電気的に接続する。同軸ピン４５は、平面視で導電ピン４１よりも文字板５１の中央に近く、導電ピン４１に比べて胴３８から離れている。導電ピン４１、中間配線、バラン回路２１、ＲＦ接続配線は、アンテナ１０ａ，１０ｂと受信回路２２とを接続する接続回路である。また導電ピン４１はアンテナ１０ａ，１０ｂとバラン回路２１とを接続する配線の一種である。
【００３１】
なお、同軸ピン４５の代わりに、例えば同軸ケーブルのような同軸線が用いられてもよい。また、バラン基板４３上にバラン回路２１が配置されず、中間配線により導電ピン４１と同軸ピン４５とが接続されてもよい。さらにバラン回路２１を設けず、回路基板４７と離間しかつ風防ガラス３１側の位置で導電ピン４１と接触し、胴３８から離れるように延びて回路基板４７に接続される中間配線が設けられてもよい。
【００３２】
導電ピン４１の近傍には極力金属の部材を配置せず、またバラン基板４３上の中間配線は、胴３８の金属から遠ざかるように延びている。また同軸ピン４５の位置をより内側に配置している。これにより、アンテナ１０ａ，１０ｂが受信した信号の経路を金属から離し、金属による受信感度への影響を軽減している。また、図５に示される例では、アンテナ１０ａ，１０ｂとバラン基板４３との間では、受信信号は同軸でない導電ピン４１により伝達され、バラン基板４３と回路基板４７との間では、受信信号が同軸ピン４５により伝達されている。もし導電ピン４１を同軸のピンにすると、平衡と不平衡の違いの問題だけでなく、ピンが太くなることに伴う部品のデザイン上の制限も強くなる。本実施形態では、同軸でない導電ピン４１を用いることでデザイン上の制約が少なくなっている。なお、導電ピン４１のインピーダンスは２本の導電ピン４１の間隔により最適に調整されている。一方、同軸ピン４５は、同軸構造により受信回路２２やマイクロコントローラからのノイズの影響を軽減することができる。このように、位置によって導電用のピンを使い分けることでデザインの自由度と感度とを両立させることができる。なお、回路基板４７と文字板５１との間にバラン基板４３が配置されることで回路基板４７と文字板５１との間隔がより大きくなるが、モーター４９を回路基板４７の文字板５１側の面に配置することによりモーター４９と文字板５１との距離をむしろ短縮することができる。
【００３３】
また図５に示されるように、胴３８は、導電ピン４１や中間配線に対向する部分に切欠き７１を有する。この切欠き７１により導電ピン４１や中間配線と金属の胴３８との距離を大きくなり、アンテナ１０ａ，１０ｂからの配線に対する外部の金属の影響による感度の低下を抑えることが可能になる。また、裏蓋３９のうち、平面視で導電ピン４１に重なる領域７２に切欠きが設けられてもよい。
【００３４】
なお、バラン基板４３と回路基板４７との間のスペーサ４６は、例えばセラミックなどの高い誘電率を有する誘電体であってもよい。例えば、スペーサ４６として誘電率が１０〜９０のセラミックを採用することができる。また、スペーサ４６の誘電率は、このスペーサ４６の周囲に配置される誘電体と同等またはそれ以上であればよく、スペーサ４６として、誘電率が１０以下の樹脂などの誘電体や、誘電率が９０以上の他の材料を採用してもよい。誘電率が高い物質を金属と受信信号の経路との間に配置すると、高周波の受信信号に対する金属等の悪影響を抑えることができる。したがって、スペーサ４６の誘電体により、金属製の裏蓋３９などによる受信信号への影響をさらに低減することができる。スペーサ４６は、セラミックスにより一体的に成型された部材であってもよい。また、スペーサ４６は、バラン回路２１やバラン回路２１に関連する配線を下側から覆うセラミックス部材（高誘電体部材）と、地板５４等に固定されその高誘電体を保持する樹脂部材とを含んでもよい。
【００３５】
また、ベゼル３２は、内周面において導電ピン４１が通過する位置に切欠き４２が設けられている。図６は、ベゼル３２および見返しリング３４の部分平面図である。ベゼル３２には、平面視で風防ガラス３１の周縁より外側にある部分と、その外側の部分から内側に張り出している張出部３５（図７参照）とを含む。導電ピン４１の近傍では張出部３５に切欠き４２が設けられている。平面視で、その切欠き４２の位置にはベゼル３２の内周側にある見返しリング３４が存在し、見返しリング３４のうち切欠き４２に重なる領域には、導電ピン４１を固定するための構造として２つの穴が設けられている。そして、２つの導電ピン４１はその２つの穴を通過するように配置される。
【００３６】
なお、２本の導電ピン４１が、見返しリング３４により固定される保持部材により平行に保持されていてもよい。この場合、見返しリング３４には、導電ピン４１を固定するための構造として、保持部材を固定する構造（穴）が形成される。また、この保持部材は、導電ピン４１を配置した金型に樹脂を注入すること（インサートモールド成型）により作成されてよい。また、２本の導電ピン４１を、文字板５１や地板５４などの他の部材に設けられた構造により固定してもよい。
【００３７】
誘電体であるベゼル３２に導電ピン４１を通過させる穴を形成する場合、強度を確保するために穴の周りに一定の厚さが必要となるため、張出部３５の大きさや穴の位置に制約が生じる。一方、ベゼル３２には切欠き４２を設け、導電ピン４１の保持は樹脂製の見返しリング３４で行う場合には、先の場合に比べて穴の位置に関する制約が少なく、導電ピン４１を保持するための穴を、風防ガラス３１の外周縁（外側）により近づけることが可能になる。導電ピン４１の位置が外側になればアンテナ１０ａ，１０ｂもより風防ガラス３１の外側に近づけることができ、目立ちにくくすることが容易になる。
【００３８】
図８は、パッキン３３の一例を示す図である。図８では、説明の容易化のため、環状のパッキン３３の一部のみ記載している。ベゼルの張出部３５の内周に沿って設けられる環状のパッキン３３は、切欠き４２に対応する位置に切欠き７４を有する。パッキン３３の切欠き７４は導電ピン４１に対向する位置に設けられており、この切欠き７４がある位置ではパッキン３３の断面積が小さくなっている。パッキン３３の切欠き７４により、風防ガラス３１がはめ込まれた際にパッキン３３が張出部３５の内周縁に向けて押し出されても、パッキン３３と導電ピン４１とが干渉することを防ぐことができる。
【００３９】
次に、アンテナ１０ａ，１０ｂと周辺の部材との関係についてより詳細に説明する。図７は、図１に示される衛星電波腕時計１のVII−VII切断線における断面図である。図７では、導電ピン４１は断面の向こう側にあり、図中では破線で示されている。なお、図７では導電ピン４１から水平距離が離れているため、胴３８の断面には切欠き７１が表れていない。
【００４０】
ベゼル３２は、誘電体であるセラミックスにより形成されており、張出部３５は、平面視で風防ガラス３１の周縁にあるアンテナ１０ａ，１０ｂの少なくとも一部を覆っている。張出部３５は、そのアンテナ１０ａ，１０ｂの少なくとも一部の直下に配置され、切りかかれたリングの形状を有する。本実施形態の例では、張出部３５は、アンテナ１０ａ，１０ｂのうち導電ピン４１と接続される部分を除く部分の直下に配置されている。また見返しリング３４は絶縁性の樹脂からなり、ベゼル３２の内周に隣接するように配置されている。また見返しリング３４は張出部３５の下にも隣接するように配置されている。
【００４１】
本実施形態では、アンテナ１０ａ，１０ｂの下の誘電体（ここではベゼル３２）で波長短縮効果を得つつ、導電ピン４１とアンテナ１０ａ，１０ｂとを直接的に接続することにより誘電体による感度の低下も抑えられている。これにより、これらの構成を含まないものに比べて、衛星電波腕時計１をより薄型かつ高感度にすることが可能になる。
【００４２】
ここで、アンテナ１０ａ，１０ｂに突き当てられる導電ピン４１についてさらに詳細に説明する。図９は、導電ピン４１の一例を示す部分拡大図である。導電ピン４１はいわゆるプローブピンであり、円筒部４１１と端部４１２とを含む。端部４１２は円筒部４１１に差し込まれており、端部４１２の先端が円筒部４１１の端から出ている。また円筒部４１１の内部にはスプリングが設けられ、端部４１２を外側に押している。これにより、アンテナ１０ａ，１０ｂと導電ピン４１との配置が多少変化しても電気的な接続を維持する。ここで、導電ピン４１の反対側の端にも図９に示すものと同じ構造が設けされ、導電ピン４１の両端の端部４１２が可動となっている。これにより、端部４１２の伸縮の問題により電気的な接続不良が生じる可能性を減らすことができる。
【００４３】
導電ピン４１は他の形状を有してもよい。図１０は、導電ピン４１の他の一例を示す部分拡大図である。図１０の例では、図９の例と異なり、端部４１３の先端がアンテナ１０ａ，１０ｂ等の他の導体の面と複数の接点を有するように形成されている。より具体的には、図１０の例では、端部４１３の先端は、複数の突起を有している。これにより、端部４１３の先端と他の導体との接点の数が２以上になることにより、接続不良が生じる可能性を減らすことができる。
【００４４】
ここで、ベゼル３２が金属により形成される部分を含んでもよい。図１１は、衛星電波腕時計１の他の一例を概略的に示す部分断面図であり、図７に対応する断面を示す図である。図１１の例では、図７で説明された例と異なり、ベゼル３２は、セラミックス等の誘電体であり見返しリングと一体化されている誘電体部８２と、金属からなる金属部８３とを含む。また誘電体部８２は下方にある補助部材８４とも一体化されている。金属部８３は、胴３８にはめ込まれベゼル３２の外周側に設けられており、下部には、内周側に張出し、上面が誘電体部８２を支える張出部８５を有する。誘電体部８２は、リング状であり、その断面は、長方形の部分と、長方形の部分に接続され見返しリングに相当する傾斜をもつ台形状の部分とを有する。その長方形の部分は、平面視でアンテナ１０ａ，１０ｂと重なる。
【００４５】
図１１の例において、風防ガラス３１のうちアンテナ１０ａ，１０ｂより外側の部分の下面が他の領域の下面より下側にあり、誘電体部８２の上面に接触している。これにより風防ガラス３１が、アンテナ１０ａ，１０ｂの水平方向外側（金属部８３の側）にも近接できるため、風防ガラス３１の誘電率による波長短縮効果が増し、電波の受信感度を向上させることができる。また、平面視でバラン回路２１と回路基板４７を重ねないことにより、回路基板４７からのノイズがバラン回路２１に混入することを防ぐことができる。
【００４６】
補助部材８４は、張出部８５の内周側の面を覆うように設けられる環状の部材であり、導電ピン４１と、ベゼル３２の金属部８３との間に存在する。補助部材８４は誘電体であり、金属部８３による、導電ピン４１を流れる信号への影響を軽減することができる。なお、補助部材８４は、誘電体部８２と分離されていてもよい。また、補助部材８４は張出部８５の内周側の面のうち導電ピン４１に対向する部分のみを覆ってもよい。
【００４７】
ベゼル３２のうちアンテナ１０ａ，１０ｂに近い部分をセラミックスなどの誘電体により形成することにより、衛星電波腕時計１を高感度かつ薄型にしつつ、ベゼル３２のうち金属により形成される部分により衝撃に対する耐性を高めることができる。特に、高感度と耐衝撃性という２つの特性を共存させることが可能になる。
【００４８】
図１２は、衛星電波腕時計１の他の一例を示す部分断面図であり、図５に対応する図である。図１２の例では、図５の例に比べて、衛星電波腕時計１のサイズは大きいが、回路基板４７やモーター４９等を含むムーブメントのサイズは変わらない。ムーブメントと胴３８との間には、リング状スペーサ７７，７８が設けられている。リング状スペーサ７７は、上下方向で見て裏蓋３９とバラン基板４３との間に配置され、リング状スペーサ７８は、上下方向で見てバラン基板４３と文字板５１との間に配置されている。アンテナ１０ａ，１０ｂは図５の例と同じく風防ガラス３１の周縁に設けられている。
【００４９】
バラン基板４３は図５における開口７３に相当する位置を超えて胴３８の近傍まで延びている。バラン基板４３は、ムーブメントの内側では、平面視で回路基板４７と重なるスペーサ４６，７６に挟まれている。ここで、スペーサ４６はバラン基板４３と回路基板４７の間にあり、スペーサ７６はバラン基板４３と文字板５１の間にある。また、平面視で回路基板４７およびスペーサ４６，７６より胴３８側にあるバラン基板４３の領域は、リング状スペーサ７７，７８により固定されている。なお、リング状スペーサ７８には導電ピン４１が通過する穴が設けられている。また、図５の例と同じく、バラン基板４３は回路基板４７の外周より外側に延びている。
【００５０】
図１２に示すように、バラン基板４３がムーブメントの外まで延びることにより、衛星電波腕時計１のサイズが大きくなり、風防ガラス３１の周縁にあるアンテナ１０ａ，１０ｂの直下にある導電ピン４１が回路基板４７と平面視で重ならない場合にも、バラン基板４３の長さを変えるだけで対応することが可能になる。これにより、ムーブメントの内部を大きく変更することなくさまざまなサイズの衛星電波腕時計１を製造することが可能になる。また、リング状スペーサ７７，７８が、ムーブメントの平面的な位置の固定だけでなく、バラン基板４３の上下方向の固定にも用いられることにより、構造を簡略化することができる。なお、スペーサ７６とリング状スペーサ７８とは接続され一体になっていてもよい。
【００５１】
図１３は、衛星電波腕時計１の他の一例を概略的に示す部分断面図であり、図２，５に対応する図である。図１３の例では、回路基板４７およびバラン基板４３を除く部分の構成は図２，５の例と同じである。図１３の例でも、ベゼル３２は切欠き４２を有し、パッキン３３は切欠き７４を有する。また見返しリング３４は導電ピン４１を固定するための構造を有する。一方、図１３の例では、導電ピン４１が回路基板４７と接触し、中間配線やバラン回路２１が回路基板４７上に設けられている。このため、図２等の例に比べると、導電ピン４１が胴３８の影響を受けやすくなっているが、胴３８の切欠き７１等により影響を軽減することで実用的な感度を得ることは可能である。図１３の例においても、ベゼル３２やパッキン３３等の構造により、導電ピン４１を風防ガラス３１の周縁側に寄せることが可能になり、アンテナ１０ａ，１０ｂを目立ちにくくすることが可能になる。
【００５２】
これまでに、衛星電波腕時計１に本発明を適用した場合について説明したが、例えば腕時計と異なる携帯用の小型の時計にも適用できる。
【図１】
2017169862.tif 000003
【図２】
2017169862.tif 000004
【図３】
2017169862.tif 000005
【図４】
2017169862.tif 000006
【図５】
2017169862.tif 000007
【図６】
2017169862.tif 000008
【図７】
2017169862.tif 000009
【図８】
2017169862.tif 000010
【図９】
2017169862.tif 000011
【図１０】
2017169862.tif 000012
【図１１】
2017169862.tif 000013
【図１２】
2017169862.tif 000014
【図１３】
2017169862.tif 000015
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
風防ガラスと、
アンテナ電極と、
回路基板上に配置された受信回路と、
胴から離れる方向に延びる中間配線が配置され前記回路基板と異なる中間基板と、
一端が前記アンテナ電極に突き当たり、他端が前記中間配線と接続された接続ピンと、
前記中間配線と前記受信回路とを接続するＲＦ接続配線と、
を含む携帯型電波時計。
【請求項２】
請求項１に記載の携帯型電波時計において、
前記中間配線はバラン回路を含み、
前記ＲＦ接続配線は同軸線または同軸ピンを含む、
携帯型電波時計。
【請求項３】
請求項２に記載の携帯型電波時計において、
前記バラン回路は前記中間基板のうちアンテナ電極と反対側の面に配置される、
携帯型電波時計。
【請求項４】
請求項２または３に記載の携帯型電波時計において、
前記バラン回路と前記回路基板との間には金属部材が配置されない、
携帯型電波時計。
【請求項５】
請求項４に記載の携帯型電波時計において、
前記バラン回路と前記回路基板との間には非導電性のスペーサが配置される、
携帯型電波時計。
【請求項６】
請求項１から５のいずれかに記載の携帯型電波時計において、
前記胴のうち前記中間配線に対向する部分に切欠きを有する、
携帯型電波時計。
【請求項７】
請求項１から６のいずれかに記載の携帯型電波時計において、
前記風防ガラスがはめ込まれ、胴に接続されるベゼルをさらに含み、
前記風防ガラスの裏面に前記アンテナ電極が配置され、
前記ベゼルは、内周面において前記接続ピンが通過する位置に切欠きが設けられている、
携帯型電波時計。
【請求項８】
請求項７に記載の携帯型電波時計において、
前記風防ガラスと前記ベゼルとの間に配置され、前記ベゼルの切欠きと対応する位置に切欠きを有する環状のパッキンをさらに含む、
携帯型電波時計。
【請求項９】
請求項１から８のいずれかに記載の携帯型電波時計において、
前記風防ガラスと前記中間基板の間に設けられ、前記接続ピンを固定する固定部を有する見返しリングをさらに含む、
携帯型電波時計。
【請求項１０】
請求項９に記載の携帯型電波時計において、
前記一対の接続ピンを平行に保持する保持部材をさらに含み、
前記見返しリングには、前記保持部材を固定する固定部が設けられる、
携帯型電波時計。
【国際調査報告】
2017169862.tif 000016
2017169862.tif 000017
2017169862.tif 000018
2017169862.tif 000019
2017169862.tif 000020
2017169862.tif 000021